(57)【要約】【課題】  例えば、Ａ２サイズのプリンタで、Ａ４サイズの記録紙に印刷を試みた時、搬送ローラに使用しない領域が大きく存在する。その場合、搬送ローラ回転負荷に伴う駆動モータの負荷増大、搬送ローラ回転時の作動音による使用環境周辺への影響、更には搬送ローラのネジレ及び撓みによる用紙搬送精度の悪化などの本来必要の無い無駄が発生する。【解決手段】  記録シートを送り出すための給送ローラと、前記給送ローラから引継ぎ、記録シートを狭持しつつ、プラテン上に送り出す搬送ローラと、複数の従動ローラを有する記録装置において、前記複数の従動ローラ各々が独立的に解除自在である構成とする。【選択図】  図１
2007161363.tif 000002
【特許請求の範囲】
【請求項１】
記録シートを送り出すための給送ローラと、前記給送ローラから引継ぎ、記録シートを狭持しつつ、プラテン上に送り出す搬送ローラと、複数の従動ローラを有する記録装置において、前記複数の従動ローラ各々が独立的に解除自在であるシート給送装置を備える事を特徴とする記録装置。
【発明の詳細な説明】
【技術分野】
【０００１】
本発明は、記録装置本体に装着する記録シートの搬送を目的とした、シート給送装置に関するものである。
【背景技術】
【０００２】
複写機、ファクシミリ装置、プリンター装置等の画像記録装置において、多様な紙サイズ、例えば、最大Ａ２から最小Ａ４巾まで対応可能なものがある。このような場合、搬送ローラ等は最大サイズ用紙と同等の長さが必要になるが、小サイズ用紙の選択時は使用しない領域がある。従来、不要な時に負荷を低減する目的として、特許文献１、特許文献２等の動作自体が不要になったタイミングで、圧接しているローラ同士を全解除するものが知られている。
【特許文献１】特開平０５−３１９６１９号公報
【特許文献２】特開平０５−２０８７４６号公報
【発明の開示】
【発明が解決しようとする課題】
【０００３】
例えば、Ａ２サイズのプリンタで、Ａ４サイズの記録紙に印刷を試みた時、搬送ローラに使用しない領域が大きく存在する。その場合、搬送ローラ回転負荷に伴う駆動モータの負荷増大、搬送ローラ回転時の作動音による使用環境周辺への影響、更には搬送ローラのネジレ及び撓みによる用紙搬送精度の悪化などの本来必要の無い無駄が発生する。
【０００４】
本発明は、上記問題に鑑みて成されたもので、選択された用紙サイズに応じて最良の機構負荷や作動音、又は送り精度を実現する事ができる画像形成装置を提供することを目的とする。
【課題を解決するための手段】
【０００５】
上記の目的を達成するために、請求項１に記載の発明に係る記録装置のシート給送装置は、記録シートを送り出すための給送ローラと、前記給送ローラから引継ぎ、記録シートを狭持しつつ、プラテン上に送り出す搬送ローラと、複数の従動ローラを有する記録装置において、前記複数の従動ローラ各々が独立的に解除自在である事を特徴とする。
【発明の効果】
【０００６】
上述手段を用いる事で、搬送ローラに対する総圧が減少するため、駆動源であるモータの負荷減少が見込める。同時に、搬送ローラと従動ローラの総接触面が減少するため、作動音の低減も見込める。また、前述総圧低減により、搬送ローラ自体のネジレや撓みも少なくなるため、搬送精度の向上が見込まれる。
【発明を実施するための最良の形態】
【０００７】
次に、本発明の詳細を実施例の記述に従って説明する。
【０００８】
図５は本発明の実施の形態に係る給紙装置を備えた記録装置の一例であるイン
クジェットプリンタの斜視図である。
【０００９】
同図において、１０１はインクジェットプリンタ、１０１Ａはインクジェットプリンタ本体（以下、本体という）である。また、１０３Ａは画像記録部であり、この画像記録部１０３Ａは記録ヘッド１０３と、記録ヘッド１０３を載置するキャリア１０２とを備えている。
【００１０】
ここで、この記録ヘッド１０３はシートＰに対向した面の副走査方向に不図示の複数のノズル列を持ち、ノズル列ごとに異なる色のインクを吐出するようになっている。なお、この記録ヘッド１０３には各色のノズルに対して各々の供給チューブ１０５を介してインクタンク１０４より各色のインクが供給されるようになっている。また、キャリア１０２は、本体１０１Ａのフレーム１０６に両端部が固定され、互いに平行に配置されたガイドシャフト１０７とガイドレール１０８に沿って摺動可能に支持されている。
【００１１】
そして、このキャリア１０２を往復動させながら記録ヘッド１０３よりインクをシートＰに向けて吐出することにより、シート上に画像が記録されるようになっている。なお、このキャリア１０２は不図示のベルト駆動装置とモータとにより往復動されるようになっている。
【００１２】
次にロール紙供給部１１１について説明すると、１１２はロール紙、１１３はロール紙を巻いた紙管、またロール紙１１２の紙管１１３を着脱できるロール紙巻出軸１１４を備えるとともに、ロール紙巻出軸１１４に接続されるテンション付与装置１１５を備える。テンション付与装置１１５は、ロール紙巻出軸１１４に負荷トルクを与えて、ロール紙引き出し部１１１によりロール紙巻出軸１１４から引き出されるロール紙１１２にバックテンションを付与し、ロール紙１１２の引き出し姿の安定を図る。
【００１３】
次にカット紙供給部１２１について説明すると、１２２はカット紙を供給するカセット、１２３は前記カセットのカバー、兼排紙された用紙を保持するカセットカバーである。
【００１４】
一方、図６はインクジェットプリンタ１の概略構成を示す断面図であり、同図
において、３０１はロール紙、３０２はガイドローラ、３０３は搬送ローラ、３０４は従動ローラである。また３０５はプラテンであり、３０６は記録ヘッド３０７を保持するキャリアである。また、３１０はカット紙を搬送する給紙ローラ、３１１は給送時、用紙を分離する反転ローラ、３１２ａ、３１２ｂは分離後、用紙を搬送ローラ３０３まで送る中間ローラである。
【００１５】
次に、このような構成のインクジェットプリンタ１の画像記録動作について説
明する。
【００１６】
図５において、ロール紙１１２は紙管１１３に巻きつけられており、ロール紙支軸１１４は紙管１１３に固定されているため一体的に回動する。操作者はロール紙１１２をロール紙支軸１１４とロール紙軸受１１６とが係合するようにセットする。
【００１７】
次に図６において、まず、搬送ローラ３０３に圧接している従動ローラ３０４を退避させる。その後、操作者はロール紙３０１の紙先端を引き出して、搬送ローラ３０３、さらにプラテン３０５の先まで紙の先端が届くように紙のセットを行う。この時に操作者はロール紙３０１の紙先端位置及び紙横端部の位置を指定された不図指の目印に正確に合わせなければならない。さらに、従動ローラ３０４を元の状態、即ち搬送ローラ３０３と従動ローラ３０４とで記録紙を挟持するようにセットしなければならない。この操作が終って、記録装置本体の不図示のドアが閉じられると、以後、モータクラッチ類が作動して、給紙動作が行われる。
【００１８】
続いて、給紙動作により、印字待機位置まで戻されたロール紙先端は、再度、プラテン３０５上に搬送され、不図示のキャリアに搭載された記録ヘッドにより印字（画像記録）動作が開始される。ここで、本実施の形態においては、記録ヘッドによる１走査分の印字が終了すると、一旦印字動作を中断し、プラテン３０５上に位置するロール紙を搬送ローラ３０３にて所定量だけ搬送し、次いで再びキャリアを不図示のガイドシャフトに沿って移動させながら次の１走査分の画像形成を行うようにしている。
【００１９】
そして、このようにしてプラテン３０５上で順次記録ヘッドによる印字が行われた後、ロール紙は排紙ローラ３０８ａ、３０８ｂと排紙拍車３０９ａ、３０９ｂにて不図示のカセットカバー上に排紙される。
【００２０】
同様に、不図示のカセットに積載されているカット紙は、給紙ローラ３１０、反転ローラ３１１により一枚ずつ分離された後、中間ローラ３１２ａ、３１２ｂにより搬送ローラ３０３まで搬送される。
【００２１】
その後、例えば、停止している搬送ローラ３０３と従動ローラ３０４のニップに、用紙先端を突き当て過送りして、ニップにならわせる事で用紙の斜行を補正する。
【００２２】
なお、図５において、１０９はヘッド回復手段であり、このヘッド回復手段１０９はキャリア１０２が、その移動範囲の一端付近に設けられたホームポジションに移動した際、記録ヘッド１０３と対向可能な位置に設けられている。そして、このヘッド回復手段１０９を待機中、記録動作前後もしくは１行毎の記録の合間に作動させ、記録ヘッド１０３に対してキャッピング、吸引、ワイピング等の動作を行わせることにより、記録ヘッド１０３の目詰まり等を防止して記録ヘッド３の性能を保持するようにしている。
【００２３】
ここで、図１、図２、図３、図４を用い実施の形態について詳しく述べる。
【００２４】
図１において、４０２は印刷工程直前に配置されている搬送ローラ、４０３ａ、４０３ｂは前記搬送ローラに独立接離自在の従動ローラ、４０４ａ、４０４ｂは前記従動ローラを支持し，前記独立接離自在の動作を可能にするために回動自在のローラホルダであり、４０５は不図示の駆動源に連結している回動自在の解除カムである。
【００２５】
一例として、図２に示すように、搬送ローラ４０２の長さに対し、記録紙４０１のような小さいサイズが選択された場合、不必要な従動ローラ４０３ｂはローラホルダ４０４ｂを介して解除カム４０５により、搬送ローラ４０２から離間させられる。
【００２６】
また一例として、図３に示すように、搬送ローラ４０２の長さを一杯に使用するような、記録紙４０１のように大きいサイズが選択された場合、従動ローラ４０３ａ、４０３ｂ共ローラホルダ４０４ａ、４０４ｂを介して解除カム４０５により、搬送ローラ４０２に当接させられる。
【００２７】
また必要であれば、図４に示すように、従動ローラ４０３ａ、４０３ｂ共ローラホルダ４０４ａ、４０４ｂを介して解除カム４０５により、搬送ローラ４０２から離間する事も可能である。
【００２８】
このようにして、選択された記録紙サイズに対して必要のない領域の従動ローラを解除する事により、搬送ローラに対する総圧が減少するため、駆動源であるモータの負荷減少が見込める。同時に、搬送ローラと従動ローラの総接触面が減少するため、作動音の低減も見込める。また、前述総圧低減により、搬送ローラ自体のネジレや撓みも少なくなるため、搬送精度の向上が見込まれる。
【図面の簡単な説明】
【００２９】
【図１】実施の形態搬送部拡大斜視図
【図２】実施の形態搬送部拡大斜視図
【図３】実施の形態搬送部拡大斜視図
【図４】実施の形態搬送部拡大斜視図
【図５】従来のインクジェットプリンタの概略構成を示す斜視図
【図６】従来の本体断面側面図
【符号の説明】
【００３０】
１０１  インクジェットプリンタ
１０１Ａ  インクジェットプリンタ本体
１０２  キャリア
１０３Ａ  画像記録部
１０３  記録ヘッド
１０４  インクタンク
１０５  供給チューブ
１０６  フレーム
１０７  ガイドシャフト
１０８  ガイドレール
１０９  ヘッド回復手段
１１２  ロール紙
１１３  紙管
１１４  ロール紙巻出軸
１１５  テンション付与装置
１１６  ロール紙軸受
１２２  カセット
１２３  カセットカバー
３０１  ロール紙
３０２  ガイドローラ
３０３  搬送ローラ
３０４  従動ローラ
３０５  プラテン
３０６  記録ヘッド
３０７  キャリア
３０８ａ、３０８ｂ  排紙ローラ
３０９ａ、３０９ｂ  排紙拍車
３１０  給紙ローラ
３１１  反転ローラ
３１２ａ、３１２ｂ  中間ローラ
４０１  記録紙
４０２  搬送ローラ
４０３ａ、４０３ｂ  従動ローラ
４０４ａ、４０４ｂ  ローラホルダ
４０５  解除カム
【図１】
2007161363.tif 000003
【図２】
2007161363.tif 000004
【図３】
2007161363.tif 000005
【図４】
2007161363.tif 000006
【図５】
2007161363.tif 000007
【図６】
2007161363.tif 000008